(57)【要約】【課題】逆方向に開閉することができる傘装置を提供すること。【解決手段】傘装置は、竿と、竿の頂端に固定されるキャップと、自由に前記竿に沿って自由にスライド可能な第１スライド部材と、竿に沿って第１スライド部材とキャップとの間で自由にスライド可能であり、第１スライド部材と接続及び分離可能な第２スライド部材と、傘装置を開いたとき、傘装置の傘の表面に形成されるカバーと、一端が第２スライド部材に接続され、他端がカバーの縁に接続され、傘を開けたときカバーを支える長骨と、一端が第１スライド部材に接続され、他端が長骨に接続され、長骨を移動させる受け骨とを具備する。傘装置を閉めるとき、第１スライド部材を第２スライド部材の方向に移動させて第２スライド部材と接続し、受け骨の他端は長骨の他端を傘装置の上方に移動させ、長骨、受け骨及びカバーは、逆方向に傘装置の上方に収束する。【選択図】図６
2013099112.tif 000002
【特許請求の範囲】
【請求項１】
竿と、
前記竿の頂端に固定されるキャップと、
自由に前記竿に沿って自由にスライド可能な第１スライド部材と、
前記竿に設置され、前記竿に沿って前記第１スライド部材と前記キャップとの間で自由にスライド可能であり、前記第１スライド部材と接続及び分離可能な第２スライド部材と、
傘装置を開いたとき、前記傘装置の傘の表面に形成されるカバーと、
一端が前記第２スライド部材に接続され、他端が前記カバーの縁に接続され、傘を開けたとき前記カバーを支える長骨と、
一端が前記第１スライド部材に接続され、他端が前記長骨に接続され、前記長骨を移動させる受け骨とを具備し、
前記傘装置を閉めるとき、前記第１スライド部材を前記第２スライド部材の方向に移動させて前記第２スライド部材と接続し、前記受け骨の他端は前記長骨の他端を前記傘装置の上方に移動させ、前記長骨、前記受け骨及び前記カバーは、逆方向に前記傘装置の上方に収束し、前記第１スライド部材と前記第２スライド部材とを一体に前記傘装置のハンドル端に移動させることによって、前記長骨、前記受け骨及び前記カバーが逆方向に傘の竿に収束する
傘装置。
【請求項２】
請求項１に記載の傘装置であって、
前記傘装置を開けるとき、第１スライド部材と前記第２スライド部材とを一体に前記竿の頂部に移動させた後分離させ、前記第２スライド部材が固定され、前記第１スライド部材を下に移動させて前記竿の中部に固定され、そして、前記受け骨は前記長骨の他端を前記傘装置の下方に移動させることで、前記傘装置が開く
傘装置。
【請求項３】
請求項２に記載の傘装置であって、
前記竿の頂部に定位プラグを有し、前記定位プラグは前記竿の外に出て、前記第２スライド部材を係止可能であり、
前記第２スライド部材の内表面と外表面との間に定位プラグ係止溝が設けられ、前記定位プラグを係合させることで前記第２スライド部材を前記竿の頂部に固定する
傘装置。
【請求項４】
請求項３に記載の傘装置であって、
前記竿の内部にバネを有し、前記バネは、前記定位プラグの下方に設けられ、前記竿の外に出ることが可能であり、
前記定位プラグは、前記第２スライド部材を係止させた後、前記バネは、前記第２スライド部材の下端に係合することで前記第２スライド部材を支える
傘装置。
【請求項５】
請求項３に記載の傘装置であって、
前記第１スライド部材の底に底部定位部材を有し、前記底部定位部材は、前記竿の中部に設置される中部定位穴と係合することで、前記第１スライド部材を前記竿の中部に固定する
傘装置。
【請求項６】
請求項５に記載の傘装置であって、
前記第２スライド部材の下端に内部係止溝を有し、
前記第１スライド部材の上端に内部接続部材を有し、前記内部接続部材と前記内部係止溝とが係合することで、前記第１スライド部材と前記第２スライド部材とを接続する
傘装置。
【請求項７】
請求項６に記載の傘装置であって、
前記第１スライド部材は、接続レバーと、接続鉤とを有し、
前記接続レバーは、前記竿に沿って前記第１スライド部材の外表面に嵌め込まれ、その頂部は前記第１スライド部材の上端の外部まで伸出し、前記内部接続部材に垂直方向に設けられ、
前記接続鉤は、前記接続レバーの頂部に設けられ、前記竿の方を向き、
前記第１スライド部材と前記第２スライド部材とを接続するとき、前記接続鉤は前記定位プラグ係止溝と係合し、前記定位プラグを前記竿内に圧入し、前記第１スライド部材と前記第２スライド部材とは一体に移動可能となる
傘装置。
【請求項８】
請求項７に記載の傘装置であって、
前記竿の下部に下部定位穴を有し、前記下部定位穴は前記第１スライド部材の底部定位部材と係合することで、前記第１スライド部材を前記竿の底部に固定する
傘装置。
【請求項９】
請求項８に記載の傘装置であって、
前記第１スライド部材の内表面と外表面との間に弾性体を有し、前記弾性体の上端は前記内部接続部材と接続され、
前記弾性体の外表面の両側に押しボタンを有し、前記押しボタンは前記第１スライド部材の外部まで出ており、
前記弾性体の外表面に半円部を有し、前記半円部は前記第１スライド部材の前記接続レバーに接触可能であり、
前記第１スライド部材と前記第２スライド部材とを分離するとき、前記押しボタンが押されると、前記弾性体が変形することで、前記内部接続部材は前記第２スライド部材の前記内部係止溝から脱離し、前記半円部は前記接続レバーを突き起こし、前記接続鉤が前記第２スライド部材の定位プラグ係止溝から脱離する
傘装置。
【請求項１０】
請求項３に記載の傘装置であって、
前記定位プラグは弾性部材を介して前記竿の内部の定位穴内に設けられる
傘装置。
【請求項１１】
請求項１０に記載の傘装置であって、
前記第２スライド部材は接続溝を有し、前記定位プラグ係止溝は前記第２スライド部材の外表面から内表面に切り込まれた溝状に形成され、前記第２スライド部材の上下端部に開口が設けられ、
前記第１スライド部材と前記第２スライド部材とを接続するとき、前記接続レバーの第１スライド部材の上端の外部に伸出する部分は前記接続溝内に収納される
傘装置。
【請求項１２】
請求項１１に記載の傘装置であって、
前記第２スライド部材の前記接続溝の内部は、定位プラグ圧入面と、係止凸台とを有し、
前記定位プラグ圧入面は、前記第２スライド部材の上端面と前記定位プラグ係止溝との間に形成され、前記第２スライド部材を前記竿の上方に移動させるとき、前記定位プラグを前記竿内に圧入し、
前記係止凸台は、前記第２スライド部材の下端面と定位プラグ係止溝との間に形成され、
前記定位プラグは、前記竿内から弾性作用により外へ出、前記係止凸台と前記定位プラグ圧入面とに係合し、前記第２スライド部材の移動を制限する
傘装置。
【請求項１３】
請求項１１に記載の傘装置であって、
前記定位プラグ圧入面は前記竿に沿う上下方向の斜面である
傘装置。
【請求項１４】
請求項１１に記載の傘装置であって、
前記係止凸台は前記竿に沿う上下方向の斜面を有する
傘装置。
【請求項１５】
請求項１に記載の傘装置であって、
前記カバーは、前記長骨と前記受け骨との下に設置され、前記カバーの外縁は前記長骨の前記他端に固定され、その内縁は前記第１スライド部材に固定される
傘装置。
【請求項１６】
請求項１に記載の傘装置であって、
前記キャップは複数の収納溝を有し、前記収納溝が前記長骨を収納するとき、前記長骨は前記キャップに固定される
傘装置。
【請求項１７】
請求項１に記載の傘装置であって、
前記長骨の前記の他端は、前記カバーを接続するカバー接続溝を有し、前記カバー接続溝内に、前記カバーに接続される弾性部材が取り付けられる
傘装置。
【請求項１８】
請求項１に記載の傘装置であって、
前記竿の下部にハンドルを有し、
前記ハンドルは挟み機構を有し、
前記挟み機構は、開閉可能な挟持部材と、固定部材とを有し、前記固定部材の一端は前記挟持部材の一方に接続され、
前記挟み機構を開けるとき、前記挟持部材を開け、前記固定部材の動くことが可能な他端は前記挟持部材の他方に接して当該挟持部材の他方を押圧する
傘装置。
【請求項１９】
請求項１８に記載の傘装置であって、
前記挟み機構は接続プラグを有し、前記接続プラグは前記挟持部材を回動可能に前記ハンドルに固定する
傘装置。
【請求項２０】
請求項１９に記載の傘装置であって、
前記ハンドルはスライド溝を有し、スライド溝は軸方向に沿って前記ハンドルの外表面に設けられ、
前記接続プラグは、前記スライド溝にスライド可能に係合する
傘装置。
【請求項２１】
請求項１８に記載の傘装置であって、
前記挟み機構の外表面に滑り止め部材を有する
【請求項２２】
請求項２０に記載の傘装置であって、
前記ハンドルは開閉器を有し、前記開閉器は、ハンドルの外表面に設置され、前記挟み機構を開くことが可能である
傘装置。
【発明の詳細な説明】
【技術分野】
【０００１】
本発明は、傘装置に関するものであり、具体的には逆方向に開閉することができる傘装置に係るものである。
【背景技術】
【０００２】
従来の技術に係る傘は、カバーを支えるいくつかの長骨により構成される。各長骨の中部に長骨と受け骨の接合部分のダボがあり、受け骨の一端はダボと連結され、受け骨の他端は竿を上下にスライドするスライド部材と連結される。しかし、折畳み傘にせよストレート傘にせよ、閉めるとき、スライド部材をハンドル（柄）の方向にスライドさせ、受け骨は長骨を引っ張り、長骨の自由端をハンドル方向に移動させ、傘を閉めることができる。それに対して、スライド部材を上に移動させ、傘を開けることができる。【０００３】
しかし、上記のような傘を閉めるとき、長骨の露先は使用者に向かって移動させるので、使用者に不便をもたらす。たとえば、使用者は雨天で自動車など比較的小さい空間に入るときや、比較的小さい出入り口を介して部屋に入るときは、まず自動車に入り、その後、腕を伸ばして自動車の外で傘を閉め、車内に置く。すなわち、使用者が完全に車内に入った後では、傘を閉めることができない。換言すれば、使用者は、傘を閉めるために体の一部を外に露出させなければならず、傘を閉じるときは使用者は必ず雨に濡らさられ、使用者にとって不便である。【０００４】
雨天で混雑している公共の場所（たとえば地下鉄、バスの中）で、上記のような傘を持っているとき、カバーに付いた水によって、使用者と近くの人は濡らされてしまうことがある。使用者と近くの人にとって不便なこととなる。【０００５】
なお、本発明に関連する技術として、下記の特許文献１が挙げられる。
【先行技術文献】
【特許文献】
【０００６】
【特許文献１】特開２０００−０３７２１７号公報
【発明の概要】
【発明が解決しようとする課題】
【０００７】
しかし、上記のような傘を閉めるとき、長骨の露先は使用者に向かって移動させるので、使用者に不便をもたらす。たとえば、使用者は雨天で自動車など比較的小さい空間に入るときや、比較的小さい出入り口を介して部屋に入るときは、まず自動車に入り、その後、腕を伸ばして自動車の外で傘を閉め、車内に置く。すなわち、使用者が完全に車内に入った後では、傘を閉めることができない。換言すれば、使用者は、傘を閉めるために体の一部を外に露出させなければならず、傘を閉じるときは使用者は必ず雨に濡らさられ、使用者にとって不便である。【０００８】
雨天で混雑している公共の場所（たとえば地下鉄、バスの中）で、上記のような傘を持っているとき、カバーに付いた水によって、使用者と近くの人は濡らされてしまうことがある。使用者と近くの人にとって不便なこととなる。【０００９】
以上のような事情に鑑み、本発明は、逆方向に開閉することができる傘装置を提供することを目的とする。
【課題を解決するための手段】
【００１０】
本発明の傘装置は、竿と、前記竿の頂端に固定されるキャップと、自由に前記竿に沿って自由にスライド可能な第１スライド部材と、前記竿に設置され、前記竿に沿って前記第１スライド部材と前記キャップとの間で自由にスライド可能であり、前記第１スライド部材と接続及び分離可能な第２スライド部材と、傘装置を開いたとき、前記傘装置の傘の表面に形成されるカバーと、一端が前記第２スライド部材に接続され、他端が前記カバーの縁に接続され、傘を開けたとき前記カバーを支える長骨と、一端が前記第１スライド部材に接続され、他端が前記長骨に接続され、前記長骨を移動させる受け骨とを具備し、前記傘装置を閉めるとき、前記第１スライド部材を前記第２スライド部材の方向に移動させて前記第２スライド部材と接続し、前記受け骨の他端は前記長骨の他端を前記傘装置の上方に移動させ、前記長骨、前記受け骨及び前記カバーは、逆方向に前記傘装置の上方に収束し、前記第１スライド部材と前記第２スライド部材とを一体に前記傘装置のハンドル端に移動させることによって、前記長骨、前記受け骨及び前記カバーが逆方向に傘の竿に収束する。【００１１】
上述のように、傘装置を閉めるとき、まず第１スライド部材を第２スライド部材の方向に移動させ、受け骨は長骨をキャップの方に移動させ、逆方向に閉める。第１スライド部材と第２スライド部材とを接続し、それらを一体に傘装置のハンドル端に移動させる。傘の骨は竿の周りに収束する。これにより、使用者は自動車に入るときや小さい出入り口を介して部屋に入るときに、室内に入って傘装置を閉めることができる。逆方向に閉められた傘は、カバーの外表面を内側にするので、カバーに付着した水が使用者と近くの人を濡らすことはない。【００１２】
本実施形態に係る前記傘装置を開けるとき、第１スライド部材と前記第２スライド部材とを一体に前記竿の頂部に移動させた後分離させ、前記第２スライド部材が固定され、前記第１スライド部材を下に移動させて前記竿の中部に固定され、そして、前記受け骨は前記長骨の他端を前記傘装置の下方に移動させることで、前記傘装置が開く。【００１３】
本実施形態によれば、傘装置を開けるとき、第１スライド部材と第２スライド部材とを一体に上に移動させ、竿の頂部でそれらを分離させることで、受け骨と長骨は、逆方向に閉めるときとは逆に、逆方向に開く。これにより、使用者は、車両から降りるときや出入り口を介して部屋から出るとき、室内で傘装置を持ちそれを開くことができる。【００１４】
本実施形態に係る傘装置は、竿の頂部に定位プラグを有し、前記定位プラグは前記竿の外に出て、前記第２スライド部材を係止可能であり、前記第２スライド部材の内表面と外表面との間に定位プラグ係止溝が設けられ、前記定位プラグを係合させることで前記第２スライド部材を前記竿の頂部に固定する。【００１５】
本実施形態によれば、竿の外に弾き出る定位プラグが第２スライド部材に設けられた定位プラグ係止溝と係合することで、第２スライド部材を竿の頂部に固定することができる。【００１６】
本実施形態に係る傘装置は、竿の内部にバネを有し、前記バネは、前記定位プラグの下方に設けられれ、前記竿の外に出ることが可能であり、前記定位プラグは、前記第２スライド部材を係止させた後、前記バネは、前記第２スライド部材の下端に係合することで前記第２スライド部材を支える。【００１７】
本実施形態によれば、竿の外に弾き出るバネは第２スライド部材の下端を支え、第２スライド部材を強く固定することができる。【００１８】
本実施形態に係る傘装置は、前記第１スライド部材の底に底部定位部材を有し、前記底部定位部材は、前記竿の中部に設置される中部定位穴と係合することで、前記第１スライド部材を前記竿の中部に固定する。【００１９】
本実施形態によれば、竿の中部定位穴に第１スライド部材を係合させることで、第１スライド部材を竿の中部に強く固定することができる。【００２０】
本実施形態に係る傘装置は、前記第２スライド部材の下端に内部係止溝を有し、前記第１スライド部材の上端に内部接続部材を有し、前記内部接続部材と前記内部係止溝とが係合することで、前記第１スライド部材と前記第２スライド部材とを接続する。【００２１】
本実施形態によれば、第２スライド部材の内部係止溝に第１スライド部材の内部接続部材とを係合させることで、第１スライド部材と第２スライド部材とを一体に接続することができる。【００２２】
本実施形態に係る傘装置では、前記第１スライド部材は、接続レバーと、接続鉤とを有し、前記接続レバーは、前記竿に沿って前記第１スライド部材の外表面に嵌め込まれ、その頂部は前記第１スライド部材の上端の外部まで伸出し、前記内部接続部材に垂直方向に設けられ、前記接続鉤は、前記接続レバーの頂部に設けられ、前記竿の方を向き、前記第１スライド部材と前記第２スライド部材とを接続するとき、前記接続鉤は前記定位プラグ係止溝と係合し、前記定位プラグを前記竿内に圧入し、前記第１スライド部材と前記第２スライド部材とは一体に移動可能となる。【００２３】
本実施形態によれば、第１スライド部材の接続レバーに設けられた接続鉤と、第２スライド部材の定位プラグ係止溝とを係合させ、接続鉤は定位プラグ係止溝内に係合した定位プラグを竿内に圧入することができる。そして、第１スライド部材と第２スライド部材とが一体に接続されると同時に、第２スライド部材と竿との固定が解除され、第１スライド部材と第２スライド部材とは一体に下にスライド可能となる。【００２４】
本実施形態に係る傘装置は、前記竿の下部に下部定位穴を有し、前記下部定位穴は前記第１スライド部材の底部定位部材と係合することで、前記第１スライド部材を前記竿の底部に固定する。【００２５】
本実施形態によれば、竿の下部定位穴と第１スライド部材とが係合し、一体にスライドした第２スライド部材も竿の底部に固定される。【００２６】
本実施形態に係る傘装置は、前記第１スライド部材の内表面と外表面との間に弾性体を有し、前記弾性体の上端は前記内部接続部材と接続され、前記弾性体の外表面の両側に押しボタンを有し、前記押しボタンは前記第１スライド部材の外部まで出ており、前記弾性体の外表面に半円部を有し、前記半円部は前記第１スライド部材の前記接続レバーに接触可能であり、前記第１スライド部材と前記第２スライド部材とを分離するとき、前記押しボタンが押されると、前記弾性体が変形することで、前記内部接続部材は前記第２スライド部材の前記内部係止溝から脱離し、前記半円部は前記接続レバーを突き起こし、前記接続鉤が前記第２スライド部材の定位プラグ係止溝から脱離する。【００２７】
本実施形態によれば、第１スライド部材の内部に弾性体を有する。弾性体に内部接続部材と、押しボタンと、半円部とが設けられる。押しボタンを押すと、変形した弾性体は内部接続部材と半円部を移動させ、第１スライド部材と第２スライド部材との接続を解除することができる。そして、長骨と受け骨はキャップの上に逆方向に収束されるとき、第１スライド部材は第２スライド部材から分離し、受け骨は長骨の自由端を傘の下方に移動させ、傘装置を開ける。【００２８】
本実施形態に係る傘装置では、前記定位プラグは弾性部材を介して前記竿の内部の定位穴内に設けられる。【００２９】
本実施形態によれば、定位プラグは弾性部材を介して定位穴内に固定される。定位プラグが竿内に圧入され、スライド部材の移動の妨げを免れるだけでなく、竿の外部に弾き出て第２スライド部材に係合することもできる。【００３０】
本実施形態に係る傘装置では、前記第２スライド部材は接続溝を有し、前記定位プラグ係止溝は前記第２スライド部材の外表面から内表面に切り込まれた溝状に形成され、前記第２スライド部材の上下端部に開口が設けられ、前記第１スライド部材と前記第２スライド部材とを接続するとき、前記接続レバーの第１スライド部材の上端の外部に伸出する部分は前記接続溝内に収納される。【００３１】
本実施形態によれば、接続レバーは第１スライド部材の外表面に嵌入され、その頂部は第１スライド部材の上端の外部に伸出する。したがって、第１スライド部材と第２スライド部材とを接続するとき、第２スライド部材の溝形状の接続溝は接続レバーを収納し、接続レバーを連接溝に沿わせて、これにより、定位プラグ係止溝に連接鉤を確実に係合させることができる。【００３２】
本実施形態に係る傘装置では、前記第２スライド部材の前記接続溝の内部は、定位プラグ圧入面と、係止凸台とを有し、前記定位プラグ圧入面は、前記第２スライド部材の上端面と前記定位プラグ係止溝との間に形成され、前記第２スライド部材を前記竿の上方に移動させるとき、前記定位プラグを前記竿内に圧入し、前記係止凸台は、前記第２スライド部材の下端面と定位プラグ係止溝との間に形成され、前記定位プラグは、前記竿内から弾性作用により外へ出、前記係止凸台と前記定位プラグ圧入面とに係合し、前記第２スライド部材の移動を制限する。【００３３】
本実施形態によれば、接続溝の内部は、定位プラグ圧入面と、定位プラグ係止溝と、係止凸台とを有する。第２スライド部材が上にスライドされるとき、定位プラグは定位プラグ圧入面によって、竿の内部に圧入され、その後、定位プラグ係止溝に弾き出る。定位プラグは定位プラグ圧入面と係止凸台との間で係止されることにより、第２スライド部材が竿に固定される。【００３４】
本実施形態に係る傘装置では、前記定位プラグ圧入面は、前記竿に沿う上下方向の斜面である。【００３５】
本実施形態によれば、定位プラグ圧入面は竿に沿う上下方向の斜面であるので、第２スライド部材を上に移動させるとき、定位プラグを竿内に圧入しやすい。【００３６】
本実施形態に係る傘装置では、前記係止凸台は前記竿に沿う上下方向の斜面を有する。【００３７】
本実施形態によれば、係止凸台は竿に沿う上下方向の斜面を有し、定位プラグを固定できるのみならず、第１スライド部材と第２スライド部材と接続するとき、接続レバーを突き起こすので、接続鉤は弾力を借りて定位プラグを竿の中に圧入することができる。【００３８】
本実施形態に係る傘装置では、前記カバーは、前記長骨と前記受け骨との下に設置され、前記カバーの外縁は前記長骨の前記他端に固定され、その内縁は前記第１スライド部材に固定される。【００３９】
本実施形態によれば、カバーは傘の骨の下に設置され、長骨はカバーを逆に移動させるとき、長骨の受ける力を減少させることができる。したがって、傘の骨を上に向かって逆に閉めることができる。【００４０】
本実施形態に係る傘装置では、前記キャップは複数の収納溝を有し、前記収納溝が前記長骨を収納するとき、前記長骨は前記キャップに固定される。【００４１】
本実施形態によれば、傘装置を逆に閉めるとき、複数の収納溝を介して長骨を収納することができる。傘の骨を竿の円周の方向に移動することを防止し、傘の寿命を延ばすことができる。【００４２】
本実施形態に係る傘装置では、前記長骨の前記の他端は、前記カバーを接続するカバー接続溝を有し、前記カバー接続溝内に、前記カバーに接続される弾性部材が取り付けられる。【００４３】
本実施形態によれば、長骨とカバーは弾性部材を介して接続されるので、長骨とカバーとの間の張力を減少することができる。そうすると、傘の骨とカバーの寿命を延長でき、傘の骨とカバーの材料の要求も低減される。【００４４】
本実施形態に係る傘装置は、前記竿の下部にハンドルを有し、前記ハンドルは挟み機構を有し、前記挟み機構は、開閉可能な挟み部材と、固定部材とを有し、前記固定部材の一端は前記挟み部材の一方に接続され、前記挟み機構を開けるとき、前記挟み部材を開け、前記固定部材の動くことが可能な他端は前記挟み部材の他方に接して当該挟み部材の他方を押圧する。【００４５】
本実施形態によれば、傘装置のハンドルは挟み機構を有する。挟み機構を開けるとき、固定部材は挟み部材に圧を受けて接触する。これにより、手すりなどの物体を挟み機構の中に入れ、傘を手すりに掛けることができる。【００４６】
本実施形態に係る傘装置では、前記挟み機構は接続プラグを有し、前記接続プラグは前記挟み部材を回動可能に前記ハンドルに固定する。【００４７】
本実施形態によれば、自由に回動する挟み部材は、接続プラグを介して、ハンドルに取り付けられる。【００４８】
本実施形態に係る傘装置では、前記ハンドルはスライド溝を有し、スライド溝は軸方向に沿って前記ハンドルの外表面に設けられ、前記接続プラグは、前記スライド溝にスライド可能に係合する。【００４９】
本実施形態によれば、接続プラグは、スライド溝に沿ってスライドすることにより、挟み機構をスライド溝に沿ってスライドさせる。【００５０】
本実施形態に係る傘装置では、前記挟み機構の外表面に滑り止め部材を有する。【００５１】
本実施形態によれば、挟み機構に滑り止め部材が設けられるので、傘装置を置きやすい。【００５２】
実施形態に係る傘装置では、前記ハンドルは開閉器を有し、前記開閉器は、ハンドルの外表面に設置され、前記挟み機構を開くことが可能である。【００５３】
本実施形態によれば、ハンドルの挟み機構に開閉器が設けられ、開閉器を押すことにより、挟み機構を非常に開けやすくすることができる。
【図面の簡単な説明】
【００５４】
【図１】図１は、本発明の一実施形態に係る傘装置の開けた状態を示す図である。
【図２】図２は、本発明の一実施形態に係る傘装置のキャップの平面図である。
【図３】図３は、本発明の一実施形態に係る傘装置の長骨とカバーと接続する図である。
【図４】図４は、図３におけるC−C断面図である。
【図５】図５は、本発明の一実施形態に係る傘装置の長骨の上向き図である。
【図６】図６は、本発明の一実施形態に係る傘装置は開けた状態から閉めたときまでの一状態を示す図である。
【図７】図７は、本発明の一実施形態に係る傘装置は開けた状態から閉めたときまでの一状態を示す図である。
【図８】図８は、本発明の一実施形態に係る傘装置は開けた状態から閉めたときまでの一状態を示す図である。
【図９】図９は、本発明の一実施形態に係る傘装置の開けた状態の部分を拡大する図である。
【図１０】図１０Ａは、本発明の一実施形態に係る傘装置の第２スライド部材付近を左側から見た図である。図１０Ｂは、本発明の一実施形態に係る傘装置の第２スライド部材を立体的に拡大する図である。
【図１１】図１１は、本発明の一実施形態に係る傘装置の第１スライド部材付近を左側から見た拡大図である。
【図１２】図１２は、本発明の一実施形態に係る傘装置の第２スライド部材と第１スライド部材と接続した状態を示す図である。
【図１３】図１３は、図１２におけるA−A断面図である。
【図１４】図１４は、本発明の一実施形態に係る傘装置の第２スライド部材と第１スライド部材が一体に下に移動することを示す図である。
【図１５】図１５は、本発明の一実施形態に係る傘装置の第２スライド部材と第１スライド部材が一体に上に移動する一状態を示す図である。
【図１６】図１６は、本発明の一実施形態に係る傘装置の第２スライド部材と第１スライド部材が一体に上に移動する一状態を示す図である。
【図１７】図１７は、本発明の一実施形態に係る傘装置の第２スライド部材と第１スライド部材が一体に上に移動する一状態を示す図である。
【図１８】図１８は、図１７におけるB−B断面図である。
【図１９】図１９は、本発明の一実施形態に係る傘装置の第２スライド部材と第１スライド部材を分離した状態を示す図である。
【図２０】図２０は、傘装置のハンドルの変形例を示す図である。
【図２１】図２１は、傘装置のハンドルの変形例をスライドする状態を示す図である。
【図２２】図２２は、傘装置のハンドルの変形例の挟み機構を左側から見た図である。
【図２３】図２３は、傘装置のハンドルの変形例の挟み機構の使い方を示す図である。
【図２４】図２４は、傘装置のハンドルの変形例の挟み機構の他の使い方を示す図である。
【発明を実施するための形態】
【００５５】
以下、図面を参照しながら、本発明の実施形態を説明する。
［傘装置の全体的な構成］
まず、傘装置１の全体的な構成と主な部品を説明する。
【００５６】
図１は本発明の一実施形態に係る傘装置１が開いた状態を示す図である。
【００５７】
図１に示すように、本発明の一実施形態に係る傘装置１は、竿３と、竿３の頂端に設けられたキャップ２と、竿３の下端に設けられたハンドル６と、竿３に設けられた第１スライド部材１１及び第２スライド部材１２と、第２スライド部材１２と接続する長骨４と、第１スライド部材１１と接続する受け骨５と、カバー（傘布）７を有する。
【００５８】
この実施形態においては、例えば竿３は中空であり、頂端と下端のねじ山により、キャップ２とハンドル６とがそれぞれ接続される。竿３の下部には、第１スライド部材１１を係止する下部定位穴３７が設けられている。
【００５９】
図２は本発明の一実施形態に係る傘装置１のキャップ２の平面図である。
【００６０】
図２に示すように、キャップ２の外周は長骨４と同じ数量の収納溝８１を有する。傘装置１を閉めるとき、収束した長骨４はそれぞれに収納溝８１に収納される。そうすると、収束した長骨４が竿３の円周の方向に移動することを免れ、傘の寿命を延長することができ、閉めた傘装置１を持ちやすくなる。
【００６１】
図１に示すように、第１スライド部材１１と第２スライド部材１２は円筒の形でなり、中空の構成であり、竿３の外部に嵌められて竿３に沿ってスライドすることができる。第１スライド部材１１の底部に、下部定位穴３７と係合する定位部材３５が設置される。
【００６２】
第２スライド部材１２は第１スライド部材１１の上方に設置され、キャップ２と第１スライド部材１１との間に設置される。
【００６３】
いくつかの長骨４（例えば八個）の一端はドリフトピンにより、第２スライド部材１２の上端と接続され、他端はカバー７の縁と接続される。傘装置１を開けるとき、長骨４はカバー７を支える。カバー７と接続される他端は下に向いて曲げられ、傘装置１を開けるとき、長骨４とカバー７との間の張力を減少することができる。
【００６４】
受け骨５の数は長骨４の数と同じである。受け骨５の一端はドリフトピンにより、第１スライド部材１１の外表面と接続され、他端はドリフトピンにより長骨４と接続され、長骨４を支える（例えば、長骨４の中間の部位と接続される。）。
【００６５】
カバー７は長骨４と受け骨５との下に位置する。その外縁は長骨４の上記の他端に固定され、内縁は第１スライド部材１１の中部に固定される。傘装置１を逆方向に閉めるとき、カバー７は長骨４と受け骨５とを包み、収束する。傘装置１を開けたとき、カバー７は雨や太陽の光などを遮る。
【００６６】
この実施形態においては、カバー７は長骨４と受け骨５との下に設置される。長骨４はカバー７を逆に移動させるとき、長骨４の受ける力を減少させることができる。したがって、カバー７は傘の骨が逆に移動する（逆に閉まる）ことを妨げない。
【００６７】
図１に示すように、この実施形態においては、傘装置１を開けたとき、第２スライド部材１２は竿３の頂端、キャップ２の下に固定される。第１スライド部材１１は定位部材３５を竿３の中部定位穴３６（図６参照）に嵌め込むことにより、竿３の中部に固定される。第１スライド部材１１と接続するいくつかの受け骨５（図は二つだけ示す）はいくつかの長骨４（図は二つだけ示す）を支持し、長骨４はカバー７を支える。
【００６８】
［カバーと長骨とを接続する構成］
以下、図３から図５までを参照しながら、カバー７と長骨４とを接続する構成の一実施形態を説明する。図３は本発明の一実施形態に係る傘装置１の長骨４とカバー７とを接続することを示す図である。図４は図３におけるC−C断面図である。図５は本発明の一実施形態に係る傘装置１の長骨４の上向き図である。
【００６９】
図３に示すように、長骨４の端部にカバー７を接続するカバー接続溝８２が設けられている。カバー接続溝８２の中にカバー７の外縁を接続する弾性部材８３（たとえばバネ）が設けられている。カバー接続溝８２から延出された、弾性部材８３の端部８５が、ボールの形でなり、カバー７の外縁と接続され、カバー７が脱離することを防止する。
【００７０】
図４に示すように、長骨４の中に設けられたカバー接続溝８２は矩形でなる。弾性部材８３の一端はカバー接続溝８２の外側の短辺に固定される。弾性部材８３は、カバー接続溝８２の中で、長骨４の外表面にあるスライド溝８４（図５参照）に沿って前後に伸縮することができる。そうすると、長骨４とカバー７との間の力を緩和することができる。
【００７１】
図５に示すように、弾性部材８３の固定されない端の端部８５（ボールの形の部分）とスライド溝８４との間にウェーハ８７（図３参照）を設置することができる。カバー７の外縁と弾性部材８３と接続する部分はウェーハ８７と端部８５との間にある。したがって、カバー７は弾性部材８３から脱離することを防止できるだけではなく、カバー７の外縁がスライド溝８４の内部に入ることも防止できる。
【００７２】
上記のように、この実施形態においては、傘装置１を逆方向に開閉するとき、長骨４はカバー７を移動させる過程中に、弾性部材８３はカバー接続溝８２の中で自由に伸縮することにより、長骨４とカバー７との間の力を減少することができる。これにより、長骨４またはカバー７が曲ったり折れたり断裂したりすることを防止できる。
【００７３】
この実施形態においては、長骨４が収束するとき、弾性部材８３のある長骨４の一端を上に引くことによって、カバー７の一側は上方向に移動する。他側は第１スライド部材１１の動きとともに上に移動する。したがって、傘装置１を開閉するとき、長骨４とカバー７の受ける力がかなり減少する。カバー７は長骨４の移動に与える影響を取り除くことができ、長骨とカバー７の寿命を延長でき、長骨とカバーの材料の要求も低減される。
【００７４】
［傘装置の動作過程］
以下、図６から図８までを参照しながら、傘装置１を逆に開閉する過程を説明する。
【００７５】
図６から図８までは本発明の一実施形態に係る傘装置１の開けた状態から閉めた状態までを示す図である。図６から図８までにおいて、傘装置１の動作過程の説明の便宜のため、カバー７等の部品を省略する。
【００７６】
図６から図８までに示すように、竿３に中部定位穴３６を有し、この中部定位穴３６は、第１スライド部材１１の底部に設けられた底部定位部材３５と係合することにより、第１スライド部材１１を竿３の中部に固定する。
【００７７】
この実施形態においては、図６に示すように、逆に傘装置１を閉めるとき、まず竿３の中部定位穴３６と第１スライド部材１１の底部の底部定位部材３５との係合を解除し、第１スライド部材１１が竿３に沿って上に移動する。受け骨５の両端はそれぞれ第１スライド部材１１と長骨４の中部と接続する。したがって、第１スライド部材１１は竿３に沿って上に移動するとき、受け骨５は長骨４を動かし（長骨４の一端は第２スライド部材１２と接続するので、固定される）、長骨４の他端を傘装置１の上に移動させる。普通の傘の移動と逆の方向に移動する。
【００７８】
その後、図７に示すように、第１スライド部材１１は第２スライド部材１２の位置に到達し、第２スライド部材１２と接続する。そのとき、受け骨５は長骨４を動かし、逆方向にキャップ２の上方に収束させる。カバー７も上に収束する。第１スライド部材１１と第２スライド部材１２と接続すると同時に、第２スライド部材１２と竿３との間の固定は解除される。そのとき、第１スライド部材１１と第２スライド部材１２と一体に竿３に沿って下のハンドル６の方向にスライドする。傘装置１の上に逆に収束した受け骨５、長骨４、カバー７も第１スライド部材１１と第２スライド部材１２と一体に下に移動する。
【００７９】
図８に示すように、第１スライド部材１１と第２スライド部材１２とは竿３に沿ってハンドル６の方向に竿３の底部までスライドする。受け骨５、長骨４、カバー７も一体に竿３の底部に移動する。そのとき、第１スライド部材１１の底部定位部材３５と竿３の底部の下部定位穴３７と係合する。これにより、一体になる第１スライド部材１１と第２スライド部材１２は竿３の底部に固定される。このように、長骨４、受け骨５、カバー７も竿３の外側の周りに収束し、傘装置１は閉められる。閉められた傘装置１の長さを縮めると同時に、カバー７は、長骨４と受け骨５を外側で包む。そうすると、長骨４と受け骨５を保護することができ、カバー７の外表面（雨、太陽の光等を遮る面）は内部に入って裏返しになることにより、閉めた傘装置１のカバー７に付着した雨が使用者または他人に接して使用者が濡れることを防止できる。
【００８０】
傘装置１を逆方向に開ける過程は上記閉める過程と逆である。傘装置１を閉めた状態において、底部定位部材３５と下部定位穴３７との係合が解除され、第１スライド部材１１と第２スライド部材１２とは、一体に竿３に沿って傘装置１の頂端にスライドする。長骨４と受け骨５も同時に竿３の頂端に移動する。  第１スライド部材１１と第２スライド部材１２は竿３の頂端に着いて分離し、第１スライド部材１１は下に移動した後、竿３に設けられた定位プラグ３１とバネ３４（図９参照）は竿３の外に出て、第２スライド部材１２を竿３の頂端に固定する。第１スライド部材１１は竿３に沿って下に移動するとき、第１スライド部材１１と接続する受け骨５は、一端が第２スライド部材１２に固定される長骨４を動かし、長骨４は収束状態から開いた状態に変わる。すなわち、長骨４の自由端は上を指す状態から下に移動し、カバー７は長骨４の移動と一体に開く。
【００８１】
第１スライド部材１１は竿３の中部に着いたとき、第１スライド部材１１の底部定位部材３５は竿３の中部定位穴３６と係合し、第１スライド部材１１は竿３の中部に固定される。そのとき、受け骨５を介して動かされる長骨４の自由端は傘装置１の下に傾いて指す。カバー７は長骨４の移動と一体に受け骨５と長骨４との下に開く。
【００８２】
［傘装置の具体的な構成］
以下、図９から図１４までを参照しながら、本発明の一実施形態に係る傘装置１の具体的な構成を説明する。
【００８３】
図９は本発明の一実施形態に係る傘装置１の開いた状態の部分を拡大する拡大図である。図１０Aは本発明の一実施形態に係る傘装置１の第２スライド部材１２付近を左側から見た断面図である。図１０Bは本発明の一実施形態に係る傘装置１の第２スライド部材１２を立体的に拡大する図である。図１１は本発明の一実施形態に係る傘装置１の第１スライド部材１１付近を左側から見た拡大図である。図１２は本発明の一実施形態に係る傘装置１の第２スライド部材１２と第１スライド部材１１とが接続された状態を示す図である。図１３は図１２におけるA−A断面図である。図１４は本発明の一実施形態に係る傘装置１の第２スライド部材１２と第１スライド部材１１が一体に下に移動することを示す図である。図９から図１４までにおいて、便宜のため、カバー７と長骨４等の部品を省略する。
【００８４】
［竿の構成］
図９に示すように、竿３で第２スライド部材１２がある位置に定位プラグ３１とバネ３４を有する。竿３は第１スライド部材１１がある位置に中部定位穴３６を有する。
【００８５】
定位プラグ３１は竿３の頂部に設置され、竿３の半径方向に外に出ることができる。図１０に示すように、竿３の頂部（キャップ２の下）にプラグ穴（定位穴）３３が設けられている。プラグ穴３３の中に弾性部材３２（例えば、ばね）を有する。定位プラグ３１は弾性部材３２と接続され、プラグ穴３３内に設置される。
【００８６】
図９と図１０Aに示すように、この実施形態においては、二つのバネ３４は定位プラグ３１の下方で竿３の中に嵌め込まれ、竿３の半径方向に外に出ることができる。定位プラグ３１は第２スライド部材１２を止めた後、バネ３４は第２スライド部材１２の下端を支えて、強く固定することができる。二つのバネ３４の底辺は一定角度で上向きに傾いている。一側から見た図によると、その形状は、斜辺が下に位置した直角台形の形である。第１スライド部材１１は竿３に沿って上に移動し、第２スライド部材１２と接続するとき、バネ３４を竿３の内部に入れる。
【００８７】
［第２スライド部材の構成］
以下、図９、図１０A、図１０Bを参照しながら、第２スライド部材１２の構成を説明する。
【００８８】
図９、図１０A、図１０Bに示すように、第２スライド部材１２の内部に接続溝４３と内部係止溝４６が設けられている。第２スライド部材１２の、定位プラグ３１と対応する位置に、第２スライド部材１２の上下方向に沿って、狭くて長い接続溝４３が形成されている。第２スライド部材１２の上下端面には、開口が設けられている。第２スライド部材１２の外表面１２２と内表面１２１との間は第２スライド部材中空部１２３（図１０A参照）となっている。接続溝４３は、第２スライド部材１２の外表面１２２から内表面１２１に向かって切り込まれ、第２スライド部材１２の上下端面に開口が設けられた溝になる。図１０Aに示すように、第２スライド部材１２の竿３にある右の部分は接続溝４３の内部空間である。第１スライド部材１１と第２スライド部材１２と接続するとき、接続溝４３は、接続後述の接続レバー５１の、第１スライド部材１１の上端の外部に伸出した部分を収納する。
【００８９】
図１０A、図１０Bに示すように、接続溝４３の内部は、傾斜して形成された、定位プラグを圧入する定位プラグ圧入面４１aと、係止凸台４２とを、上下方向に沿って順に有する。定位プラグ圧入面４１aと係止凸台４２との間に定位プラグを係止する定位プラグ係止溝４０が形成されている。定位プラグ係止溝４０は定位プラグ３１に係合して第２スライド部材１２を固定するのみならず、第１スライド部材１１の後述の接続鉤５２（図１１参照）は、第１スライド部材１１と第２スライド部材１２とを係合することができる。
【００９０】
定位プラグ圧入面４１aと竿３との間の空間は定位プラグ圧入溝４１b（図１０B参照）でなる。第２スライド部材１２は上にスライドするとき、定位プラグ圧入面４１aは定位プラグ３１を竿３の内部に圧入する（図１６参照）。
【００９１】
第２スライド部材１２の内表面１２１に形成された係止凸台４２は斜面を有する。定位プラグ係止溝４０の一側から、第２スライド部材１２の下端の一側まで係止凸台４２の突起の高さがだんだん小さくなる。図１０Aに示すように、係止凸台４２と定位プラグ圧入面４１aとによって、定位プラグ３１が定位プラグ係止溝４０で係止される。
【００９２】
第１スライド部材１１が上方向にスライドして第２スライド部材１２と接続するとき、係止凸台４２は接続レバー５１をすくい上げる。そして、接続鉤５２が定位プラグ係止溝４０に没入するとき（図１２、図１３参照）、接続鉤５２は竿３から突出した定位プラグ３１を竿３の内部に圧入する（図１２、図１３参照）。
【００９３】
図９、図１０Aに示すように、内部係止溝４６は第２スライド部材１２の下端に形成され、第２スライド部材１２の中に凹んで、第１スライド部材１１の後述の内部接続部材５４と係合できる凹溝である。
【００９４】
［第１スライド部材の構成］
以下、図９、図１１、図１２、図１３を参照しながら、第１スライド部材１１の構成を説明する。
【００９５】
図９、図１１に示すように、第１スライド部材１１は、接続レバー５１、内部接続部材５４、弾性体５５、いくつかの長尺状支持部５７、いくつかの長尺状接続部５９、押しボタン５８を有する。
【００９６】
図１１に示すように、弾力材料から作られた接続レバー５１は、竿３の方向に沿って、第１スライド部材１１の表面に設置され、下部は第１スライド部材１１に嵌め込まれ、第２スライド部材１２の接続溝４３に対して位置し（図９参照）、上部は第１スライド部材１１の上端の外に伸出する。接続レバー５１の頂部における竿３に向く一側には、接続鉤５２が設置され（図１１参照）、第２スライド部材１２の定位プラグ係止溝４０と係合する。接続レバー５１の竿３に向く一側における接続鉤５２の下の部分は、後述する半円部６０と接する。第１スライド部材１１と第２スライド部材１２とが接続するとき、第１スライド部材１１から伸出する接続レバー５１は接続溝４３の中に収納され、接続鉤５２は定位プラグ係止溝４０に係合する。
【００９７】
図９に示すように、第１スライド部材１１の内部接続部材５４は、第１スライド部材１１の上端に設置され、図１３に示すように接続レバー５１の両側に位置するように設置される。内部接続部材５４は後述の弾性体５５と接続される。内部接続部材５４は第２スライド部材１２の内部係止溝４６と係合することにより、第１スライド部材１１と第２スライド部材１２を接続することができる。
【００９８】
図１１から図１３まで示すように、例えば丸い形の弾性体５５は第１スライド部材内表面１１１とその外表面１１２との間に設置される。弾性体５５は力を受けて形を大きく変え、このとき、弾性体５５の上端にある内部接続部材５４も収縮される。
【００９９】
図９、図１１に示すように、弾性体５５の外表面の両側であって、例えば内部接続部材５４の下に押しボタン５８が設置される。
【０１００】
図１３に示すように、一実施形態として、押しボタン５８と内部接続部材５４との数はそれぞれ二つである。押しボタン５８は第１スライド部材の外表面に突出している。二つの押しボタン５８を押せば、弾性体５５が変形し、二つの内部接続部材５４間の距離は縮小する。弾性体５５の外表面の頂部に、接続レバー５１の竿３に向く側と接する半円部６０が設置される。押しボタン５８を押し、弾性体５５を変形させるとき、半円部６０が外に移動して接続レバー５１を突くことにより接続レバー５１を起き上がらせる（図１８参照）。
【０１０１】
第１スライド部材内表面１１１と第１スライド部材外表面１１２との間は、いくつか（例えば、一層四つ、三層で１２個）の長尺状支持部５７により支えられる。これにより、中空の第１スライド部材１１の変形を防止する。
【０１０２】
いくつか（例えば、二つ）の長尺状接続部５９の両端は、それぞれに第１スライド部材外表面１１２の内側と弾性体５５と接続され、これにより弾性体５５は第１スライド部材１１の内部に固定される。
【０１０３】
［第１スライド部材と第２スライド部材との接続］
以下、図１２、図１３、図１４を参照しながら、本発明の一実施形態に係る傘装置１を逆に閉めるとき、第１スライド部材１１と第２スライド部材１２とを接続する過程を説明する。
【０１０４】
図１２に示すように、傘装置１を逆に閉めるとき、第１スライド部材１１は、竿３の頂端に移動させられ、第２スライド部材１２と接続する。第２スライド部材１２の下に設けられた、第２スライド部材１２の下端を支えるバネ３４（図９参照）は第１スライド部材１１により竿３内に圧入される。第１スライド部材１１の上端にある内部接続部材５４と第２スライド部材１２の下端にある内部係止溝４６（図９参照）とが係合する。第１スライド部材１１の接続レバー５１は同時に第２スライド部材１２の接続溝４３内に挿入される（図９、図１０A、図１０B参照）。接続鉤５２は係止凸台４２を通過するとき、接続レバー５１と一体に突き起こされる。その後、接続鉤５２が定位プラグ係止溝４０の位置に到達したとき、上部において突き起こされた接続レバー５１は自らの弾力により元の状態に戻る。そうすると、接続鉤５２が定位プラグ係止溝４０の中に没入するとき、定位プラグ係止溝４０内にある定位プラグ３１は竿３内に圧入される（図１３参照）。因って、第１スライド部材１１は第２スライド部材１２と接続すると同時に、竿３からの第２スライド部材１２の固定を解除することができ、第１スライド部材１１と第２スライド部材１２とを一体に竿３に沿って自由にスライドさせることができる。
【０１０５】
図１４に示すように、第１スライド部材１１と第２スライド部材１２とが一体に下にスライドした後、竿３に設置される定位プラグ３１とバネ３４とが竿３の外に弾き出る。第１スライド部材１１と第２スライド部材１２とは下に移動し、第１スライド部材１１の底部定位部材３５と竿３の底部の下部定位穴３７とが接続され係合することにより、第１スライド部材１１と第２スライド部材１２を一体的に竿３の底部に固定させる。
【０１０６】
［第１スライド部材と第２スライド部材との分離］
以下、図１５から図１９までを参照しながら、本発明の一実施形態に係る傘装置１を逆に開けるとき、第１スライド部材１１と第２スライド部材１２とを分離する過程を説明する。
【０１０７】
図１５から図１７までは本発明の一実施形態に係る傘装置１の第２スライド部材１２と第１スライド部材１１を一体に上に移動する状態を示す図である。
【０１０８】
図１８は図１７におけるB−B断面図である。
【０１０９】
図１９は本発明の一実施形態に係る傘装置１の第２スライド部材１２と第１スライド部材１１を分離した状態を示す図である。
【０１１０】
図１５から図１９までにおいて、説明の便宜のため、第１スライド部材１１と第２スライド部材１２とそれらに関わる部品だけを示し、長骨４等の部品を省略する。
【０１１１】
図１５に示すように、傘装置１を開けるとき、まず第１スライド部材１１の底部定位部材３５と竿３の底部の下部定位穴３７との係合を解除し、その後、第１スライド部材１１と第２スライド部材１２とは一体に上にスライドする。
【０１１２】
図１６に示すように、第１スライド部材１１と第２スライド部材１２とが一体に竿３の上にスライドするとき、第２スライド部材１２は竿３の外に出ているバネ３４を竿３内に圧入する。その後、定位プラグ圧入面４１aは定位プラグ３１を竿３の中に圧入する。
【０１１３】
図１７に示すように、第１スライド部材１１と第２スライド部材１２とが一体に竿３の上にスライドするとき、すなわち、定位プラグ係止溝４０が定位プラグ３１の位置に着いたとき、押しボタン５８を押し、弾性体５５を変形させ、そして第１スライド部材１１の内部接続部材５４は第２スライド部材１２の内部係止溝４６から脱離し、第１スライド部材１１の接続鉤５２は第２スライド部材１２の定位プラグ係止溝４０から脱離する。これにより、第１スライド部材１１と第２スライド部材１２との接続を解除できる。竿３の定位プラグ３１は竿３の外に弾き出て、第２スライド部材１２の定位プラグ係止溝４０と係合し、第２スライド部材１２は竿３の頂部に固定される。
【０１１４】
図１８に示すように、二つの押しボタン５８を押すと、丸い弾性体５５の形は楕円に変わる。すなわち、内部接続部材５４の位置の直径は小さくなり、その代わりに半円部６０の位置の直径は大きくなる。そうすると、内部接続部材５４の両端の間の直径は縮小し、内部接続部材５４は第２スライド部材１２の内部係止溝４６（図９参照）から脱離する。その上、半円部６０の位置の直径が増大することにより、半円部６０が第１スライド部材１１の外表面１１２に移動し、接続レバー５１は突き起こされ、接続レバー５１の頂部にある接続鉤５２は第２スライド部材１２の定位プラグ係止溝４０（図１７参照）から脱離する。これにより、係止凸台４２との係合を解除できる。竿３内に圧入されている定位プラグ３１は、弾性部材３２の作用により竿３の外に出て、定位プラグ圧入面４１aと係止凸台４２との間にある定位プラグ係止溝４０と係合する。これにより、第２スライド部材１２は竿３の頂部に固定される。
【０１１５】
弾性体５５が変形するとき、弾性体５５と第１スライド部材１１とを接続するのに使われる長尺状接続部５９も変形する。
【０１１６】
図１９に示すように、第１スライド部材１１と第２スライド部材１２とが分離した後、第２スライド部材１２は定位プラグ３１により竿３の頂部に固定される。そのとき、第１スライド部材１１は下にスライドし、竿３内に圧入されたバネ３４は竿３の外に出て、第２スライド部材１２の下端を係止し、第２スライド部材１２を強く固定することができる。その後、第１スライド部材１１は竿３の中部に到達し、底部定位部材３５は竿３の中部定位穴３６と係合し、第１スライド部材１１を竿３の中部に固定することができる（図１４参照）。
【０１１７】
［傘装置の開閉過程の詳細説明］
以上のように、傘装置１を開けた状態においては、第１スライド部材１１の底部定位部材３５と竿３の中部定位穴３６とが係合し、第１スライド部材１１が竿３の中部に強く固定される。長骨４は開いた状態となる。
【０１１８】
続いて、第１スライド部材１１の底部定位部材３５と竿３の中部定位穴３６との係合が解除され、第１スライド部材１１は第２スライド部材１２の方向にスライドし、受け骨５は長骨４の自由端を上に動かし、キャップ２の上に長骨４を移動させる。カバー７も長骨４と一体に上に裏返しになる。
【０１１９】
第１スライド部材１１と第２スライド部材１２とが接続するとき、竿３のバネ３４は第１スライド部材１１により竿３内に圧入される。第１スライド部材１１の内部接続部材５４と第２スライド部材１２の内部係止溝４６とが係合する。第１スライド部材１１の接続レバー５１は第２スライド部材１２の接続溝４３内に挿入され、接続鉤５２は第２スライド部材１２の定位プラグ係止溝４０内に入れられ、定位プラグ３１は竿３の中に圧入され、第２スライド部材１２の固定が解除される。これにより、第１スライド部材１１と第２スライド部材１２とが一体に竿３に沿って自由にスライドする。受け骨５は長骨４を動かし、逆方向にキャップ２の上方に収束させる。カバー７は受け骨５と長骨４の外側でこれらを包む。
【０１２０】
第１スライド部材１１と第２スライド部材１２とを一体に傘装置のハンドル６の方向にスライドさせると、第１スライド部材１１の底部定位部材３５と竿３の底部（下部）の下部定位穴３７とが係合し、第１スライド部材１１と第２スライド部材１２が竿３の底部に固定される。長骨４と受け骨５も下に移動し、最後には竿３の周りに収束する。カバー７は受け骨５と長骨４との外側でこれらを包み、その外表面は内側に向く。
【０１２１】
傘装置１を逆に開ける過程は以上のような過程と逆である。すなわち、まず第１スライド部材１１の底部定位部材３５と竿３の底部の下部定位穴３７との係合を解除し、第１スライド部材１１と第２スライド部材１２とを一体に上にスライドさせ、これにより、閉めたカバー７と受け骨５と長骨４が上に移動する。
【０１２２】
第２スライド部材１２は竿３の上に到達したとき、押しボタン５８を押し、第１スライド部材１１の弾性体５５を変形させると、内部接続部材５４は第２スライド部材１２の内部係止溝４６から脱離し、半円部６０は接続レバー５１を突き起こし、接続鉤５２は第２スライド部材１２の定位プラグ係止溝４０から脱離する。これにより、第１スライド部材１１と第２スライド部材１２とが分離する。
【０１２３】
その後、第１スライド部材１１を下に移動させ、竿３の定位プラグ３１とバネ３４とは竿３の外に弾き出て、第２スライド部材１２は竿３の頂部に固定される。第１スライド部材１１を下にスライドさせるとき、第１スライド部材１１と接続する受け骨５は長骨４を動かし、閉めた状態から開けた状態になる。すなわち、長骨４の、第２スライド部材１２に固定された一端に対する自由の他端は、上に向いた状態から下に移動し、カバー７も親骨４と一緒に開けられる。
【０１２４】
最後に、第１スライド部材１１の底部定位部材３５は竿３の中部定位穴３６と係合し、第１スライド部材１１は竿３の中部に固定される。そのとき、長骨４の自由端は傘装置１の下方へ傾斜する方向に向き、すなわち、長骨４が開いた状態になる。カバー７は受け骨５と長骨４との下に張り広げられる。
【０１２５】
［傘装置のハンドルの変形例］
図１から図１９に示すような実施の形態に係るハンドル６はまっすぐな棒である。しかし、本発明は、特定の実施形態に限定されるものではなく、種々の変形や変更が可能である。
【０１２６】
以下、図２０から図２４までを参照しながら、本発明の傘装置に係るハンドルの変形を説明する。
【０１２７】
図２０は傘装置のハンドル６００を示す図である。
【０１２８】
図２１は傘装置のハンドル６００をスライドさせる状態を示す図である。
【０１２９】
図２２は傘装置のハンドル６００を左側から見た図である。
【０１３０】
図２０に示すように、ハンドル６００は円柱形のまっすぐなハンドルである。開閉器７９はハンドル６００の外表面に設置される。挟み機構７２はハンドル６００の底部の周りに置かれ、ハンドル６００の軸方向に沿って下にスライドすることができる（図２１参照）。挟み機構７２の底部の両側にそれぞれ一つ以上の滑り止め部材９３が設置される（たとえば二つ）。
【０１３１】
図２２に示すように、挟み機構７２は、接続プラグ７７と、挟み部材９１a、９１bと、固定部材９２と、滑り止め部材９３とを有する。
【０１３２】
挟み部材９１a、９１bは、閉められたとき、ハンドル６００の直線状の底部にり、開けられたとき、特定の角度に分けられ、傘装置１は手すりや受け金などに掛けられる。
【０１３３】
固定部材９２は棒状でなる。たとえば、その固定端は、らせんバネにより形成され、挟み部材９１a内の下部に、ピンにより回動可能に固定される。これにより、固定部材９２の自由端は、そのバネの弾性の復元力によって挟み部材９１bの下部内に押し入れられ、挟み部材９１bを押圧する。固定部材９２は、上向きの押力を受けるとき（図２３、２４において）、自由端は挟み部材９１bと分離され、外部の物体が挟み機構７２の中に進入することができる。
【０１３４】
ハンドル６００は中空になり、挟み部材９１a、９１bの内側は半円穴になる。挟み機構７２が閉められたとき、固定部材９２は閉められた挟み部材９１a、９１bの中に収納される。
【０１３５】
接続プラグ７７は挟み部材９１a、９１bの上端に取り付けられ、挟み部材９１a、９１bの上端同士を接続し、それらを回動可能にハンドル６００に固定する。
【０１３６】
図２２に示すように、ハンドル６００はその側面にスライド溝７８（一側だけを示す）を有する。スライド溝７８は軸方向に沿ってハンドル６００の両側の外表面に延びるように形成される。接続プラグ７７はスライド溝７８内に係合する。このように、接続プラグ７７は、挟み部材９１a、９１bをハンドル６００に固定できるだけではなく、スライド溝７８に沿ってスライドすることもできる。
【０１３７】
二つの滑り止め部材９３はそれぞれ挟み部材９１aと９１bとの底部の外表面に設置され、外側に突出した半球状に形成される。本実施形態においては、滑り止め部材９３は、挟み部材９１a内に設けられ、固定部材９２と接続する部分はピンでなり、挟み部材９１aの外部に設けられる部分は滑り止め部材９３でなる。滑り止め部材９３は高摩擦係数の材料により作られる。そうすると、傘装置１を固定するのに適したものがない場合には、滑り止め部材９３が壁に接することにより、傘装置１を壁等に寄りかけて立てることができる。
【０１３８】
開閉器７９は、ハンドル６００内部の接続機構（たとえばフック）を介して挟み機構７２と接続する。開閉器７９を押すと、挟み機構７２が開くので、片手で簡単に操作ができる。
【０１３９】
以下、ハンドル６００が動く過程を説明する。
【０１４０】
図２３は本発明の傘装置１のハンドル６００の挟み機構７２の動きを示す図である。本実施形態においては、挟み機構７２が閉められたとき、挟み部材９１aと９１bも閉められ、固定部材９２は挟み部材９１a、９１b内に収納される。開閉器７９は内部の接続機構を介して、接続プラグ７７をスライド溝７８の頂端に固定している。挟み機構７２はハンドル６００の底部の周囲に設けられる（図２０参照）。
【０１４１】
開閉器７９を押すと、接続プラグ７７と接続機構との接続が解除され、挟み機構７２はスライド溝７８に沿って下にスライドし、挟み部材９１a、９１bは特定の角度に分けられ、固定部材９２は、挟み部材９１aと９１bとの間で横になるように移動する（図２２参照）。
【０１４２】
図２３に示すように、固定部材９２の自由端は、上向きの力を受けるとき、挟み部材９１bと分離され、手すりや受け金などのようなものを挟み機構７２の中、すなわち挟み部材９１aと９１bとの間に入れる。固定部材９２の固定された端は挟み部材９１aに固定され、弾力性を備える。固定部材９２の自由端は上向きの力を受けないとき、弾力の復元力により挟み部材９１b内に入る。これにより、傘装置１を受け金に掛けることができる。
【０１４３】
挟み機構７２を閉めるとき、開いている挟み部材９１aと９１bを閉め、固定部材９２は、閉めた挟み部材９１a、９１b内に収納される。挟み機構７２を上にスライドさせることにより、接続プラグ７７はスライド溝７８の頂端に移動され、接続プラグ７７と開閉器７９の内部の接続機構とが接続され、固定される。閉められた挟み機構７２はハンドル６００の底部の周りを覆う。
【０１４４】
図２４は本発明の傘装置１のハンドル６００の挟み機構７２の他の動きを示す図である。
【０１４５】
図２４に示すように、固定部材９２の自由端は挟み機構７２の外に伸出することもでき、フックとして使うことができる。そうすると、受け金や壁がない場合には、ハンドル６００から伸出している固定部材９２を用いて、傘装置１をテーブルに固定することができる。
【０１４６】
以上のように、本発明に係る傘装置は、竿に沿って自由にスライドでき、接続したり、分離したりできる第１スライド部材と第２スライド部材を有する。第１スライド部材と第２スライド部材のスライドにより、長骨と受け骨を動かすことによって、長骨と受け骨は普通の傘と違う方向に移動し、傘装置を逆に開閉することができる。使用者は自動車に入るときや狭い空間に入るときなど、傘装置を簡単に操作することができる。しかも、傘装置を逆に閉めることができるので、雨に濡れたカバーは内側になり、濡れなかった面は外側になる。混雑しているバスや他の公共場所にいるとき、使用後の傘装置でも使用者とその近くの人を濡れさせない。したがって、使用者とその近くの人に不便をもたらすことを妨げる。
【０１４７】
以上、本発明の好ましい実施の形態について詳述したが、本発明は、特定の実施形態に限定されるものではない。
【０１４８】
例えば、本実施形態においては、竿３の構成は中空の円柱形であり、第１スライド部材１１と第２スライド部材１２が竿３に嵌め込まれる。しかし、竿３に凹溝が設けられてもよい。第１スライド部材１１と第２スライド部材１２との一部がその凹槽と係合し、それによって竿３に固定される。キャップ２とハンドル６も嵌め込む方式や係合機構等により、竿３に固定されてもよい。
【０１４９】
バネ３４の数は二つに限られない。定位プラグ３１の数も必要に応じて調整することができる。
【０１５０】
ハンドル６００に開閉器７９を設置しなくても構わず、使用者は挟み機構７２を開けることができる。ハンドル６００の挟み機構７２はスライドせずに開けることができる。
【０１５１】
ピンではなく、ねじにより、挟み部材９１aと固定部材９２の一端とを接続してもよい。滑り止め部材９３の数も必要に応じて調整することができる。
【０１５２】
使用者の便宜のため、挟み機構７２内に懐中電灯などの器具も設置することができる。
【０１５３】
以上、本発明の好ましい実施の形態であるが、本発明は、特定の実施形態に限定されるものではない。技術者は本明細書を読んだ上で実施例に記載された技術を改良し、または一部分の技術を置換することも本発明の要旨の範囲に含まれる。
【符号の説明】
【０１５４】
１    傘装置
２    キャップ
３    竿
４    長骨
５    受け骨
６    ハンドル
７    カバー
１１  第１スライド部材
１２  第２スライド部材
３１  定位プラグ
３２  弾性部材
３３  プラグ穴
３４  バネ
３５  底部定位部材
３６  中部定位穴
３７  下部定位穴
４０  定位プラグ係止溝
４１a  定位プラグ圧入面
４１b  定位プラグ圧入溝
４２  係止凸台
４３  接続溝
４６  内部係止溝
５１  接続レバー
５２  接続鉤
５４  内部接続部材
５５  弾性体
５７  長尺状支持部
５８  押しボタン
５９  長尺状接続部
６０  半円部
７２  挟み機構
７７  接続プラグ
７８  スライド溝
７９  開閉器
８１  収納溝
８２  カバー接続溝
８３  弾性部材
８４  スライド溝
９１a挟み部材
９１b挟み部材
９２  固定部材
９３  滑り止め部材
１１１  第１スライド部材内表面
１１２  第１スライド部材外表面
１１３  第１スライド部材中空部
１２１  第２スライド部材内表面
１２２  第２スライド部材外表面
１２３  第２スライド部材中空部
６００  ハンドル
【図１】
2013099112.tif 000003
【図２】
2013099112.tif 000004
【図３】
2013099112.tif 000005
【図４】
2013099112.tif 000006
【図５】
2013099112.tif 000007
【図６】
2013099112.tif 000008
【図７】
2013099112.tif 000009
【図８】
2013099112.tif 000010
【図９】
2013099112.tif 000011
【図１０】
2013099112.tif 000012
【図１１】
2013099112.tif 000013
【図１２】
2013099112.tif 000014
【図１３】
2013099112.tif 000015
【図１４】
2013099112.tif 000016
【図１５】
2013099112.tif 000017
【図１６】
2013099112.tif 000018
【図１７】
2013099112.tif 000019
【図１８】
2013099112.tif 000020
【図１９】
2013099112.tif 000021
【図２０】
2013099112.tif 000022
【図２１】
2013099112.tif 000023
【図２２】
2013099112.tif 000024
【図２３】
2013099112.tif 000025
【図２４】
2013099112.tif 000026
【手続補正書】
【提出日】平成26年5月15日(2014.5.15)
【手続補正１】
【補正対象書類名】特許請求の範囲
【補正対象項目名】請求項１１
【補正方法】変更
【補正の内容】
【請求項１１】
請求項７に記載の傘装置であって、
前記第２スライド部材は接続溝を有し、前記定位プラグ係止溝は前記第２スライド部材の外表面から内表面に切り込まれた溝状に形成され、前記第２スライド部材の上下端部に開口が設けられ、
前記第１スライド部材と前記第２スライド部材とを接続するとき、前記接続レバーの第１スライド部材の上端の外部に伸出する部分は前記接続溝内に収納される
傘装置。
【手続補正２】
【補正対象書類名】特許請求の範囲
【補正対象項目名】請求項１２
【補正方法】変更
【補正の内容】
【請求項１２】
請求項１１に記載の傘装置であって、
前記第２スライド部材の前記接続溝の内部は、定位プラグ圧入面と、係止凸台とを有し、
前記定位プラグ圧入面は、前記第２スライド部材の上端面と前記定位プラグ係止溝との間に形成され、前記第２スライド部材を前記竿の上方に移動させるとき、前記定位プラグを前記竿内に圧入し、
前記係止凸台は、前記第２スライド部材の下端面と定位プラグ係止溝との間に形成され、
前記定位プラグは、前記竿内から弾性部材による弾性作用により外へ出、前記係止凸台と前記定位プラグ圧入面とに係合し、前記第２スライド部材の移動を制限する
傘装置。
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
竿と、
前記竿の頂端に固定されるキャップと、
前記竿に沿って自由にスライド可能な第１スライド部材と、
前記竿に設置され、前記竿に沿って前記第１スライド部材と前記キャップとの間で自由にスライド可能であり、前記第１スライド部材と接続及び分離可能な第２スライド部材と、
傘装置を開いたとき、前記傘装置の傘の表面に形成されるカバーと、
一端が前記第２スライド部材に接続され、他端が前記カバーの縁に接続され、傘を開けたとき前記カバーを支える長骨と、
一端が前記第１スライド部材に接続され、他端が前記長骨に接続され、前記長骨を移動させる受け骨とを具備し、
前記傘装置を閉めるとき、前記第１スライド部材を前記第２スライド部材の方向に移動させて前記第２スライド部材と接続し、前記受け骨の他端は前記長骨の他端を前記傘装置の上方に移動させ、前記長骨、前記受け骨及び前記カバーは、逆方向に前記傘装置の上方に収束し、前記第１スライド部材と前記第２スライド部材とを一体に前記傘装置のハンドル端に移動させることによって、前記長骨、前記受け骨及び前記カバーが逆方向に傘の竿に収束し、
前記傘装置を開けるとき、第１スライド部材と前記第２スライド部材とを一体に前記竿の頂部に移動させた後分離させ、前記第２スライド部材が固定され、前記第１スライド部材を下に移動させて前記竿の中部に固定され、そして、前記受け骨は前記長骨の他端を前記傘装置の下方に移動させることで、前記傘装置が開き、
前記竿の頂部に定位プラグを有し、前記定位プラグは前記竿の外に出て、前記第２スライド部材を係止可能であり、前記第２スライド部材の内表面と外表面との間に定位プラグ係止溝が設けられ、前記定位プラグを前記定位プラグ係止溝に係合させることで前記第２スライド部材を前記竿の頂部に固定し、
前記第１スライド部材の底に底部定位部材を有し、前記底部定位部材は、前記竿の中部に設置される中部定位穴と係合することで、前記第１スライド部材を前記竿の中部に固定し、
前記第２スライド部材の下端に内部係止溝を有し、前記第１スライド部材の上端に内部接続部材を有し、前記内部接続部材と前記内部係止溝とが係合することで、前記第１スライド部材と前記第２スライド部材とを接続し、
前記第１スライド部材は、接続レバーと、接続鉤とを有し、
前記接続レバーは、前記竿に沿って前記第１スライド部材の外表面に嵌め込まれ、その頂部は前記第１スライド部材の上端の外部まで伸出し、前記内部接続部材に垂直方向に設けられ、
前記接続鉤は、前記接続レバーの頂部に設けられ、前記竿の方を向き、
前記第１スライド部材と前記第２スライド部材とを接続するとき、前記接続鉤は前記定位プラグ係止溝と係合し、前記定位プラグを前記竿内に圧入し、前記第１スライド部材と前記第２スライド部材とは一体に移動可能となる
傘装置。
【請求項２】
請求項１に記載の傘装置であって、
前記竿の内部にバネを有し、前記バネは、前記定位プラグの下方に設けられ、前記竿の外に出ることが可能であり、
前記定位プラグは、前記第２スライド部材を係止させた後、前記バネは、前記第２スライド部材の下端に係合することで前記第２スライド部材を支える
傘装置。
【請求項３】
請求項１に記載の傘装置であって、
前記竿の下部に下部定位穴を有し、前記下部定位穴は前記第１スライド部材の底部定位部材と係合することで、前記第１スライド部材を前記竿の底部に固定する
傘装置。
【請求項４】
請求項３に記載の傘装置であって、
前記第１スライド部材の内表面と外表面との間に弾性体を有し、前記弾性体の上端は前記内部接続部材と接続され、
前記弾性体の外表面の両側に押しボタンを有し、前記押しボタンは前記第１スライド部材の外部まで出ており、
前記弾性体の外表面に半円部を有し、前記半円部は前記第１スライド部材の前記接続レバーに接触可能であり、
前記第１スライド部材と前記第２スライド部材とを分離するとき、前記押しボタンが押されると、前記弾性体が変形することで、前記内部接続部材は前記第２スライド部材の前記内部係止溝から脱離し、前記半円部は前記接続レバーを突き起こし、前記接続鉤が前記第２スライド部材の定位プラグ係止溝から脱離する
傘装置。
【請求項５】
請求項１に記載の傘装置であって、
前記定位プラグは弾性部材を介して前記竿の内部の定位穴内に設けられる
傘装置。
【請求項６】
請求項１に記載の傘装置であって、
前記第２スライド部材は接続溝を有し、前記定位プラグ係止溝は前記第２スライド部材の外表面から内表面に切り込まれた溝状に形成され、前記第２スライド部材の上下端部に開口が設けられ、
前記第１スライド部材と前記第２スライド部材とを接続するとき、前記接続レバーの第１スライド部材の上端の外部に伸出する部分は前記接続溝内に収納される
傘装置。
【請求項７】
請求項６に記載の傘装置であって、
前記第２スライド部材の前記接続溝の内部は、定位プラグ圧入面と、係止凸台とを有し、
前記定位プラグ圧入面は、前記第２スライド部材の上端面と前記定位プラグ係止溝との間に形成され、前記第２スライド部材を前記竿の上方に移動させるとき、前記定位プラグを前記竿内に圧入し、
前記係止凸台は、前記第２スライド部材の下端面と定位プラグ係止溝との間に形成され、
前記定位プラグは、前記竿内から弾性部材による弾性作用により外へ出、前記係止凸台と前記定位プラグ圧入面とに係合し、前記第２スライド部材の移動を制限する
傘装置。
【請求項８】
請求項６に記載の傘装置であって、
前記定位プラグ圧入面は前記竿に沿う上下方向の斜面である
傘装置。
【請求項９】
請求項６に記載の傘装置であって、
前記係止凸台は前記竿に沿う上下方向の斜面を有する
傘装置。
【請求項１０】
請求項１に記載の傘装置であって、
前記カバーは、前記長骨と前記受け骨との下に設置され、前記カバーの外縁は前記長骨の前記他端に固定され、その内縁は前記第１スライド部材に固定される
傘装置。
【請求項１１】
請求項１に記載の傘装置であって、
前記キャップは複数の収納溝を有し、前記収納溝が前記長骨を収納するとき、前記長骨は前記キャップに固定される
傘装置。
【請求項１２】
請求項１に記載の傘装置であって、
前記長骨の前記の他端は、前記カバーを接続するカバー接続溝を有し、前記カバー接続溝内に、前記カバーに接続される弾性部材が取り付けられる
傘装置。
【請求項１３】
請求項１に記載の傘装置であって、
前記竿の下部にハンドルを有し、
前記ハンドルは挟み機構を有し、
前記挟み機構は、開閉可能な挟み部材と、固定部材とを有し、前記固定部材の一端は前記挟み部材の一方に接続され、
前記挟み機構を開けるとき、前記挟み部材を開け、前記固定部材の動くことが可能な他端は前記挟み部材の他方に接して当該挟み部材の他方を押圧する
傘装置。
【請求項１４】
請求項１３に記載の傘装置であって、
前記挟み機構は接続プラグを有し、前記接続プラグは前記挟み部材を回動可能に前記ハンドルに固定する
傘装置。
【請求項１５】
請求項１４に記載の傘装置であって、
前記ハンドルはスライド溝を有し、スライド溝は軸方向に沿って前記ハンドルの外表面に設けられ、
前記接続プラグは、前記スライド溝にスライド可能に係合する
傘装置。
【請求項１６】
請求項１３に記載の傘装置であって、
前記挟み機構の外表面に滑り止め部材を有する
傘装置。
【請求項１７】
請求項１５に記載の傘装置であって、
前記ハンドルは開閉器を有し、前記開閉器は、ハンドルの外表面に設置され、前記挟み機構を開くことが可能である
傘装置。
【請求項１８】
竿と、
前記竿の頂端に固定されるキャップと、
前記竿に沿って自由にスライド可能な第１スライド部材と、
前記竿に設置され、前記竿に沿って前記第１スライド部材と前記キャップとの間で自由にスライド可能であり、前記第１スライド部材と接続及び分離可能な第２スライド部材と、
傘装置を開いたとき、前記傘装置の傘の表面に形成されるカバーと、
一端が前記第２スライド部材に接続され、他端が前記カバーの縁に接続され、傘を開けたとき前記カバーを支える長骨と、
一端が前記第１スライド部材に接続され、他端が前記長骨に接続され、前記長骨を移動させる受け骨とを具備し、
前記傘装置を閉めるとき、前記第１スライド部材を前記第２スライド部材の方向に移動させて前記第２スライド部材と接続し、前記受け骨の他端は前記長骨の他端を前記傘装置の上方に移動させ、前記長骨、前記受け骨及び前記カバーは、逆方向に前記傘装置の上方に収束し、前記第１スライド部材と前記第２スライド部材とを一体に前記傘装置のハンドル端に移動させることによって、前記長骨、前記受け骨及び前記カバーが逆方向に傘の竿に収束し、
前記傘装置を開けるとき、第１スライド部材と前記第２スライド部材とを一体に前記竿の頂部に移動させた後分離させ、前記第２スライド部材が固定され、前記第１スライド部材を下に移動させて前記竿の中部に固定され、そして、前記受け骨は前記長骨の他端を前記傘装置の下方に移動させることで、前記傘装置が開き、
前記竿の頂部に定位プラグを有し、前記定位プラグは前記竿の外に出て、前記第２スライド部材を係止可能であり、前記第２スライド部材の内表面と外表面との間に定位プラグ係止溝が設けられ、前記定位プラグを前記定位プラグ係止溝に係合させることで前記第２スライド部材を前記竿の頂部に固定し、
前記第１スライド部材の底にＬ字状の底部定位部材を有し、前記Ｌ字状の底部定位部材の一端部が、前記竿の中部に設置される中部定位穴と係合することで、前記第１スライド部材を前記竿の中部に固定する
傘装置。
【請求項１９】
竿と、
前記竿の頂端に固定されるキャップと、
前記竿に沿って自由にスライド可能な第１スライド部材と、
前記竿に設置され、前記竿に沿って前記第１スライド部材と前記キャップとの間で自由にスライド可能であり、前記第１スライド部材と接続及び分離可能な第２スライド部材と、
傘装置を開いたとき、前記傘装置の傘の表面に形成されるカバーと、
一端が前記第２スライド部材に接続され、他端が前記カバーの縁に接続され、傘を開けたとき前記カバーを支える長骨と、
一端が前記第１スライド部材に接続され、他端が前記長骨に接続され、前記長骨を移動させる受け骨とを具備し、
前記傘装置を閉めるとき、前記第１スライド部材を前記第２スライド部材の方向に移動させて前記第２スライド部材と接続し、前記受け骨の他端は前記長骨の他端を前記傘装置の上方に移動させ、前記長骨、前記受け骨及び前記カバーは、逆方向に前記傘装置の上方に収束し、前記第１スライド部材と前記第２スライド部材とを一体に前記傘装置のハンドル端に移動させることによって、前記長骨、前記受け骨及び前記カバーが逆方向に傘の竿に収束し、
前記カバーは、前記長骨と前記受け骨との下に設置され、前記カバーの外縁は前記長骨の前記他端に固定され、その内縁は前記第１スライド部材に固定される
傘装置。
【請求項２０】
竿と、
前記竿の頂端に固定されるキャップと、
前記竿に沿って自由にスライド可能な第１スライド部材と、
前記竿に設置され、前記竿に沿って前記第１スライド部材と前記キャップとの間で自由にスライド可能であり、前記第１スライド部材と接続及び分離可能な第２スライド部材と、
傘装置を開いたとき、前記傘装置の傘の表面に形成されるカバーと、
一端が前記第２スライド部材に接続され、他端が前記カバーの縁に接続され、傘を開けたとき前記カバーを支える長骨と、
一端が前記第１スライド部材に接続され、他端が前記長骨に接続され、前記長骨を移動させる受け骨とを具備し、
前記傘装置を閉めるとき、前記第１スライド部材を前記第２スライド部材の方向に移動させて前記第２スライド部材と接続し、前記受け骨の他端は前記長骨の他端を前記傘装置の上方に移動させ、前記長骨、前記受け骨及び前記カバーは、逆方向に前記傘装置の上方に収束し、前記第１スライド部材と前記第２スライド部材とを一体に前記傘装置のハンドル端に移動させることによって、前記長骨、前記受け骨及び前記カバーが逆方向に傘の竿に収束し、
前記竿の下部にハンドルを有し、
前記ハンドルは挟み機構を有し、
前記挟み機構は接続プラグを有し、前記接続プラグは前記挟み部材を回動可能に前記ハンドルに固定し、
前記挟み機構は、開閉可能な挟み部材と、固定部材とを有し、前記固定部材の一端は前記挟み部材の一方に接続され、
前記挟み部材が開いた状態では、前記固定部材の動くことが可能な他端は前記挟み部材の他方に接して当該挟み部材の他方を押圧し、
前記挟み部材が閉じた状態では、前記固定部材の前記他端による前記挟み部材の他方への押圧が解除され、前記挟み部材内に収納される
傘装置。
【請求項２１】
請求項２０に記載の傘装置であって、
前記ハンドルはスライド溝を有し、スライド溝は軸方向に沿って前記ハンドルの外表面に設けられ、
前記接続プラグは、前記スライド溝にスライド可能に係合する
傘装置。
【請求項２２】
請求項２０に記載の傘装置であって、
前記挟み機構の外表面に滑り止め部材を有する
傘装置。
【請求項２３】
請求項２１に記載の傘装置であって、
前記ハンドルは開閉器を有し、前記開閉器は、ハンドルの外表面に設置され、前記挟み機構を開くことが可能である
傘装置。
【国際調査報告】
2013099112.tif 000027
2013099112.tif 000028
2013099112.tif 000029
2013099112.tif 000030